(57)【要約】【課題】  不要な撮影部分を省いて動画再生したり、必要な撮影部分を選んで動画再生することにより、動画再生の使い勝手に優れた電子カメラを提供する。【解決手段】  本発明の電子カメラは、動画撮影の撮影パラメータを検出して、動画像と一緒に記録する。この動画像を動画再生するに際し、一緒に記録された撮影パラメータが、予め設定された条件に合致している撮影期間を判別する。その判別された撮影期間に基づいて、動画像を選択的に再生表示する。【選択図】      図４
2006246512.tif 000002
【特許請求の範囲】
【請求項１】
撮影光学系を介して結像される被写体像を撮像し、動画像情報を生成する撮像手段と、
前記撮影光学系の撮影パラメータを検出する撮影パラメータ検出手段と、
前記撮像手段により生成された動画像情報と、前記撮影パラメータ検出手段により検出された撮影パラメータとを取り込み、該動画像情報および該撮影パラメータを収録情報として記録媒体に記録する媒体記録手段と、
前記記録媒体から前記収録情報を読み出す媒体再生手段と、
前記媒体再生手段により読み出された収録情報内から撮影パラメータを取り込み、該撮影パラメータが、予め設定された条件に合致している期間を判別する期間判別手段と、
前記期間判別手段の判別結果に応じて、前記収録情報内の動画像情報を再生表示する再生表示手段と、
を備えたことを特徴とする電子カメラ。
【請求項２】
請求項１に記載の電子カメラにおいて、
前記撮影パラメータ検出手段は、
前記撮影光学系の焦点調節状態を前記撮影パラメータとして検出し、
前記期間判別手段は、
前記媒体再生手段により読み出された収録情報内から焦点調節状態を取り込み、該焦点調節状態がピンボケ状態を示すピンボケ期間を判別してなり、
前記再生表示手段は、
前記期間判別手段により判別されたピンボケ期間外に限定して、前記収録情報内の動画像情報を再生表示する
ことを特徴とする電子カメラ。
【請求項３】
請求項１に記載の電子カメラにおいて、
前記撮影パラメータ検出手段は、
前記撮影光学系の鏡筒内におけるレンズ位置を前記撮影パラメータとして検出し、
前記期間判別手段は、
前記媒体再生手段により読み出された収録情報内からレンズ位置を取り込み、該レンズ位置が至近端を示す至近期間を判別してなり、
前記再生表示手段は、
前記期間判別手段により判別された至近期間外に限定して、前記収録情報内の動画像情報を再生表示する
ことを特徴とする電子カメラ。
【請求項４】
請求項１に記載の電子カメラにおいて、
前記撮影パラメータ検出手段は、
前記撮影光学系の鏡筒内におけるレンズ位置を前記撮影パラメータとして検出し、
前記期間判別手段は、
前記媒体再生手段により読み出された収録情報内からレンズ位置を取り込み、該レンズ位置が無限遠端を示す無限遠期間を判別してなり、
前記再生表示手段は、
前記期間判別手段により判別された無限遠期間もしくは該無限遠期間外のいずれかに限定して、前記収録情報内の動画像情報を再生表示する
ことを特徴とする電子カメラ。
【発明の詳細な説明】
【技術分野】
【０００１】
本発明は、動画像情報の再生機能を有する電子カメラに関し、特に、動画像情報を所定の設定条件に従って取捨選択し、部分的な期間のみ再生表示する電子カメラに関する。
【背景技術】
【０００２】
従来、記録媒体上に記録された動画像情報を再生する画像再生装置や電子カメラが実用化されている。
特に近年では、コンピュータなどを用いたディジタル画像処理の発展により、ＭＰＥＧ規格などの高能率符号化を施した画像ファイルを再生するものが知られている。
この種の画像再生装置では、所定の画像ファイルの再生が指示されると、その画像ファイル内の動画像情報を全期間にわたって再生表示していた。
【特許文献１】特開平８−９５５９６号公報
【発明の開示】
【発明が解決しようとする課題】
【０００３】
ところで、未編集の画像ファイルなどには、不要な再生画像（以下「不要箇所」という）が多数含まれる。通常、操作者は、このような不要箇所を飛ばすために、再生画像を早送りすることが多い。
しかしながら、このような早送り期間中、操作者は不要箇所の終了を目視により確認しなければならず、視認性の悪い早送り画像をずっと注視する必要があった。そのため、不要箇所の早送りは煩雑かつ面倒であるという問題点があった。
また、不要箇所の終了に気付かず、重要な再生箇所までも早送りしてしまうという不具合もしばしば発生していた。
【０００４】
そこで、請求項１に記載の発明では、撮影時の撮影パラメータを条件判別し、その判別結果に基づいて再生することにより、例えば、特定の再生箇所を自動的に飛ばして観ることができる電子カメラを提供することを目的とする。
請求項２に記載の発明では、請求項１の目的と併せて、ピンボケ状態の再生箇所を省いて再生することができる電子カメラを提供することを目的とする。
請求項３に記載の発明では、至近端のレンズ位置で撮影された箇所を省いて再生することができる電子カメラを提供することを目的とする。
請求項４に記載の発明では、動画像情報を風景画像などとそれ以外の画像とに選り分けて、そのどちらかを再生することができる電子カメラを提供することを目的とする。
【課題を解決するための手段】
【０００５】
図１は、請求項１〜４に記載の発明に対応する原理ブロック図である。
請求項１に記載の発明は、撮影光学系Ｌを介して結像される被写体像を撮像し、動画像情報を生成する撮像手段１６と、撮影光学系Ｌの撮影パラメータを検出する撮影パラメータ検出手段１７と、撮像手段１６により生成された動画像情報と、撮影パラメータ検出手段１７により検出された撮影パラメータとを取り込み、該動画像情報および該撮影パラメータを収録情報として記録媒体Ｒに記録する媒体記録手段１８と、記録媒体Ｒから収録情報を読み出す媒体再生手段１と、媒体再生手段１により読み出された収録情報内から撮影パラメータを取り込み、該撮影パラメータが、予め設定された条件に合致している期間を判別する期間判別手段１９と、期間判別手段１９の判別結果に応じて、収録情報内の動画像情報を再生表示する再生表示手段３とを備えたことを特徴とする。
請求項２に記載の発明は、請求項１に記載の電子カメラにおいて、撮影パラメータ検出手段１７は、撮影光学系Ｌの焦点調節状態を撮影パラメータとして検出し、期間判別手段１９は、媒体再生手段１により読み出された収録情報内から焦点調節状態を取り込み、該焦点調節状態がピンボケ状態を示すピンボケ期間を判別してなり、再生表示手段３は、期間判別手段１９により判別されたピンボケ期間外に限定して、収録情報内の動画像情報を再生表示することを特徴とする。
請求項３に記載の発明は、請求項１に記載の電子カメラにおいて、撮影パラメータ検出手段１７は、撮影光学系Ｌの鏡筒内におけるレンズ位置を撮影パラメータとして検出し、期間判別手段１９は、媒体再生手段１により読み出された収録情報内からレンズ位置を取り込み、該レンズ位置が至近端を示す至近期間を判別してなり、再生表示手段３は、期間判別手段１９により判別された至近期間外に限定して、収録情報内の動画像情報を再生表示することを特徴とする。
請求項４に記載の発明は、請求項１に記載の電子カメラにおいて、撮影パラメータ検出手段１７は、撮影光学系Ｌの鏡筒内におけるレンズ位置を撮影パラメータとして検出し、期間判別手段１９は、媒体再生手段１により読み出された収録情報内からレンズ位置を取り込み、該レンズ位置が無限遠端を示す無限遠期間を判別してなり、再生表示手段３は、期間判別手段１９により判別された無限遠期間もしくは該無限遠期間外のいずれかに限定して、収録情報内の動画像情報を再生表示することを特徴とする。
【０００６】
（作用）
請求項１の電子カメラでは、撮影パラメータ検出手段１７が、撮影時における撮影光学系Ｌの状態などを示す撮影パラメータを検出する。
媒体記録手段１８は、この撮影パラメータを動画像情報と一緒に記録媒体Ｒに記録する。
一方、再生時には、期間判別手段１９が、読み出された収録情報内から撮影パラメータを取り込む。期間判別手段１９は、予め設定された条件を用いてこの撮影パラメータを判別し、収録情報の再生期間内で条件に合致している期間を求める。
再生表示手段３は、このような判別結果に応じて、収録情報内の動画像情報を再生表示する。
なお、ここでの再生表示手段３は、画像表示装置に与える画像出力などを生成する手段であればよく、画像表示装置までを含む必要は特にない。
【０００７】
請求項２の電子カメラでは、撮影時に、撮影光学系Ｌの焦点調節状態を動画像情報と一緒に記録する。
一方、期間判別手段１９は、収録情報内から焦点調節状態を取り込み、焦点調節状態がピンボケ状態を示すピンボケ期間を判別する。
再生表示手段３は、このピンボケ期間外に限定して、動画像情報を再生表示する。
なお、上記の焦点調節状態としては、デフォーカス量などの数値を採用してもよいし、ピンボケ状態か否かなどを示すフラグ情報を採用してもよい。
【０００８】
請求項３の電子カメラでは、撮影時に、撮影光学系Ｌのレンズ位置を動画像情報と一緒に記録する。
一方、再生時には、期間判別手段１９が、収録情報内からレンズ位置を取り込み、このレンズ位置が至近端を示す至近端期間を判別する。
再生表示手段３は、この至近端期間外に限定して、動画像情報を再生表示する。
【０００９】
請求項４の電子カメラでは、撮影時に、撮影光学系Ｌのレンズ位置を動画像情報と一緒に記録する。
一方、再生時には、期間判別手段１９が、収録情報内からレンズ位置を取り込み、このレンズ位置が無限遠端を示す無限遠端期間を判別する。
再生表示手段３は、この無限遠端期間もしくはその期間外の一方に限定して、動画像情報を再生表示する。
【発明の効果】
【００１０】
請求項１に記載の発明では、予め設定された条件を用いて撮影パラメータを判別し、その条件判別に応じて、動画像情報の再生表示を行う。
したがって、適宜な条件を設定することにより、不要箇所を自動的に省いたり、特定のシーンのみを選択的に再生表示することが可能となる。
そのため、従来のような不要箇所の早送り操作を行う必要が特になくなり、不要箇所の終了点を確認するために、視認性の悪い早送り画像を注視するなどの不便を解消することができる。
【００１１】
請求項２に記載の発明では、撮影時に記録された焦点調節状態に基づいてピンボケ期間を判別し、このピンボケ期間を省いて、動画像情報を再生表示する。
したがって、ピンボケによる撮影ミスの部分などを省いて、動画像情報を再生表示することができる。
【００１２】
請求項３に記載の発明では、撮影時に記録されたレンズ位置に基づいて至近端期間を判別し、この至近端期間を省いて動画像情報を再生表示する。
したがって、至近端の状態で撮影された部分を省いて、動画像情報を再生表示することができる。そのため、電子カメラの目前を通過する障害物の画像などを省いて、動画像情報を再生表示することができる。
【００１３】
請求項４に記載の発明では、撮影時に記録されたレンズ位置に基づいて無限遠端期間を判別し、この無限遠端期間もしくはその期間外に限定して動画像情報を再生表示する。
ここで、無限遠端期間に限定して再生表示を行った場合、風景などの無限遠端で撮影される被写体を中心に、動画像情報を再生表示することができる。
一方、無限遠端期間以外に限定して再生表示を行った場合、風景などの無限遠端で撮影される被写体を省いて、動画像情報を再生表示することができる。
【発明を実施するための最良の形態】
【００１４】
図２は、本実施形態の機能ブロック図である。
図２において、電子カメラ５１の本体側面には、カメラ部５１ａが取り付けられ、カメラ部５１ａには、被写体像を結像する撮影レンズ５２が装着される。
撮影レンズ５２の光軸はカメラ部５１ａの中で屈曲され、その光軸の延長上にＣＣＤイメージセンサなどからなる撮像素子５３の受光面が配置される。
【００１５】
撮像素子５３の光電出力は、Ａ／Ｄ変換部５４を介して、ホワイトバランス調整やガンマ補正などを行う映像信号処理部５５に入力される。
映像信号処理部５５の出力は、本体内の画像圧縮伸長部５６に入力され、画像圧縮伸長部５６は、システムバス５７を介してマイクロプロセッサ５８に接続される。
このシステムバス５７には、メモリ５９，音声用Ｄ／Ａ変換部６０，ディスクドライブ部６１，表示用メモリ６２および焦点制御部６５が接続される。
【００１６】
この音声用Ｄ／Ａ変換部６０の出力は、音声用アンプ６０ａを介してスピーカ６０ｂに入力される。
また、ディスクドライブ部６１には、光磁気記録媒体６１ａが着脱自在に装着される。
表示用メモリ６２は、液晶駆動回路６３を介して液晶表示部６４に接続される。
焦点制御部６５の入力端子には、撮影レンズ５２の焦点調節状態を検出する焦点検出部６６と、撮影レンズ５２のレンズ位置を検出するレンズ位置検出部６８とが接続される。また、焦点制御部６５の出力端子には、撮影レンズ５２を前後に繰り出す焦点制御モータ６９が接続される。
【００１７】
焦点制御部６５は、焦点検出部６６から取得したデフォーカス量に応じて、焦点制御モータ６９を駆動して焦点制御を実施する。
一方、電子カメラ５１の筐体には、録画釦５１ｂ，再生釦５１ｃおよび抜粋モード選択ダイヤル５１ｄが設けられ、これら操作部材の出力は、マイクロプロセッサ５８にそれぞれ入力される。
図３および図４は、本実施形態の動作を説明する流れ図である。
以下、図２〜図４を用いて本実施形態の動作を説明する。
【００１８】
（本実施形態における録画動作）
まず、電子カメラ５１は、主電源が投入されると、再生釦５１ｃまたは録画釦５１ｂがオンされるまで待機状態に入る。
この状態で、再生釦５１ｃがオンされると（図３Ｓ１）、マイクロプロセッサ５８は、後述する図４Ｓ９に動作を移行する。
一方、録画釦５１ｂがオンされると（図３Ｓ２）、マイクロプロセッサ５８は、画像圧縮伸長部５６に対して画像圧縮の開始を指示する。画像圧縮伸長部５６は、映像信号処理部５５から動画像情報を取り込み、ＭＰＥＧ規格に準拠した画像圧縮処理を施す（図３Ｓ３）。
このような画像圧縮と併行して、マイクロプロセッサ５８は、撮影レンズ５２のレンズ位置およびデフォーカス量を焦点制御部６５を介して取り込む（図３Ｓ４，Ｓ５）。
ディスクドライブ部６１は、これらの動画像情報，レンズ位置およびデフォーカス量をまとめて、光磁気記録媒体６１ａ上の画像ファイルに記録する（図３Ｓ６）。
この状態で、録画釦５１ｂが再度押されるまで（図３Ｓ７のＮＯ側）、マイクロプロセッサ５８は図３Ｓ３に戻って、上述の録画動作を繰り返す。
一方、録画釦５１ｂが再度押されると（図３Ｓ７のＹＥＳ側）、作成中の画像ファイルに日時データなどの管理データを付与するなどの終了処理を行った後（図３Ｓ８）、図３Ｓ１に戻り録画動作を終了する。
【００１９】
（本実施形態における再生動作）
また、上述の待機状態において再生釦５１ｃがオンされると（図３Ｓ１）、マイクロプロセッサ５８は、ディスクドライブ部６１に対し画像ファイルの読み出しを指示する。ディスクドライブ部６１は、光磁気記録媒体６１ａから画像ファイルを読み出し、メモリ５９に順次格納する（図４Ｓ９）。
【００２０】
次に、マイクロプロセッサ５８は、抜粋モード選択ダイヤル５１ｄのダイヤル状態を取り込み（図４Ｓ１０）、ダイヤル状態に応じて下記の動作を実行する（図４Ｓ１１）。
まず、ダイヤル状態が「無限遠端削除モード」の場合、マイクロプロセッサ５８はメモリ５９上の画像ファイルからレンズ位置の情報を再生順に取り込む（図４Ｓ１２）。ここで、レンズ位置が無限遠端でない場合に限定して（図４Ｓ１３）、レンズ位置の情報と同期する動画像情報を再生表示する（図４Ｓ１４）。
また、ダイヤル状態が「至近端削除モード」の場合、マイクロプロセッサ５８はメモリ５９上の画像ファイルからレンズ位置の情報を再生順に取り込む（図４Ｓ１５）。ここで、レンズ位置が至近端でない場合に限定して（図４Ｓ１６）、レンズ位置の情報と同期する動画像情報を再生表示する（図４Ｓ１７）。
さらに、ダイヤル状態が「ピンボケ削除モード」の場合、マイクロプロセッサ５８はメモリ５９上の画像ファイルからデフォーカス量の情報を再生順に取り込む（図４Ｓ１８）。ここで、デフォーカス量が合焦範囲内の場合に限定して（図４Ｓ１９）、レンズ位置の情報と同期する動画像情報を再生表示する（図４Ｓ２０）。
【００２１】
このような一連の動作終了後において、動画像情報の再生が終了していない場合（図４Ｓ２１のＮＯ側）、図４Ｓ１０の処理に戻って、上述の動作を繰り返す。
一方、動画像情報の再生が終了した場合（図４Ｓ２１のＹＥＳ側）、画像ファイルの再生動作を終了する。
以上の動作により、撮影時における撮影レンズ５２の状態に応じて、画像ファイルが選択的に再生表示される。したがって、操作者は、撮影レンズ５２の状態に応じて再生シーンを適宜に抜粋して観ることができる。
【００２２】
《備考》
本願分割出願の原出願に元々記載される事項について、備考項目としてここに収録する。
【００２３】
［備考項目１］  記録媒体に記録された収録情報を読み出す媒体再生手段と、前記媒体再生手段により読み出された収録情報を取り込み、該収録情報が、予め設定された条件に合致している期間を判別する第１の期間判別手段と、前記第１の期間判別手段の判別結果に応じて、前記収録情報内の動画像情報を再生表示する再生表示手段とを備えたことを特徴とする画像再生装置。
【００２４】
［備考項目２］  備考項目１に記載の画像再生装置において、前記第１の期間判別手段は、
前記媒体再生手段により読み出された収録情報内から音声情報を取り込み、該音声情報の音量を検出する音量検出手段と、前記音量検出手段により検出された音量が、予め定められた音量以下となる無音期間を判別する無音判別手段とを備えてなり、前記再生表示手段は、前記無音判別手段により判別された無音期間外に限定して、前記収録情報内の動画像情報を再生表示することを特徴とする画像再生装置。
【００２５】
［備考項目３］  備考項目１に記載の画像再生装置において、前記第１の期間判別手段は、
前記媒体再生手段により読み出された収録情報内から音声情報を取り込み、該音声情報について長時間スペクトラム平均もしくは平均ピッチ周波数からなる特徴パラメータを検出する話者特徴抽出手段と、前記話者特徴抽出手段により検出された特徴パラメータと、予め登録された特徴パラメータとが許容範囲内で合致する期間を判別する話者判別手段とを備えてなり、前記再生表示手段は、前記話者判別手段により判別された期間に限定して、前記収録情報内の動画像情報を再生表示することを特徴とする画像再生装置。
【００２６】
［備考項目４］  備考項目１に記載の画像再生装置において、前記第１の期間判別手段は、
前記媒体再生手段により読み出された収録情報内から動画像情報を取り込み、画面周辺部と中央部との輝度レベル差を検出する輝度差検出手段と、前記輝度差検出手段により検出された輝度レベル差に基づいて、逆光状態で撮影された逆光期間を判別する逆光判別手段とを備えてなり、前記再生表示手段は、前記逆光判別手段により判別された逆光期間外に限定して、前記収録情報内の動画像情報を再生表示することを特徴とする画像再生装置。
【００２７】
［備考項目５］  備考項目１に記載の画像再生装置において、前記第１の期間判別手段は、
前記媒体再生手段により読み出された収録情報内から動画像情報を取り込み、動画間の動きベクトルを検出する動き検出手段と、前記動き検出手段により検出された動きベクトルから、画面が全体的に平行移動するパンニング期間を判別するパンニング判別手段とを備えてなり、前記再生表示手段は、前記パンニング判別手段により判別されたパンニング期間を取得し、該パンニング期間もしくは該パンニング期間外のいずれかに限定して、前記収録情報内の動画像情報を再生表示することを特徴とする画像再生装置。
【００２８】
［備考項目６］  備考項目１に記載の画像再生装置において、前記第１の期間判別手段は、
前記媒体再生手段により読み出された収録情報内から動画像情報を取り込み、該動画像情報のコントラストを検出するコントラスト検出手段と、前記コントラスト検出手段により検出されたコントラストが予め定められた閾値以下となる低コントラスト期間を判別する低コントラスト判別手段とを備えてなり、前記再生表示手段は、前記低コントラスト判別手段により判別された低コントラスト期間外に限定して、前記収録情報内の動画像情報を再生表示することを特徴とする画像再生装置。
【００２９】
［備考項目７］  備考項目１に記載の画像再生装置において、前記第１の期間判別手段は、
前記媒体再生手段により読み出された収録情報内から動画像情報を取り込み、画面内の肌色領域を検出する肌色検出手段と、前記肌色検出手段により検出された肌色領域が所定面積以下となる無人期間を判別する無人判別手段とを備えてなり、前記再生表示手段は、
前記無人判別手段により判別された無人期間を取得し、該無人期間もしくは該無人期間外のいずれかに限定して、前記収録情報内の動画像情報を再生表示することを特徴とする画像再生装置。
【００３０】
［備考項目１２］  撮影光学系を介して結像される被写体像を撮像し、動画像情報を生成する撮像手段と、撮影時の周辺環境を示す環境パラメータを検出する環境パラメータ検出手段と、前記撮像手段により生成された動画像情報と、前記環境パラメータ検出手段により検出された環境パラメータとを取り込み、該動画像情報および該環境パラメータを収録情報として記録媒体に記録する媒体記録手段と、前記記録媒体から前記収録情報を読み出す媒体再生手段と、前記媒体再生手段により読み出された収録情報内から環境パラメータを取り込み、該環境パラメータが、予め設定された条件に合致している期間を判別する第３の期間判別手段と、前記第３の期間判別手段の判別結果に応じて、前記収録情報内の動画像情報を再生表示する再生表示手段と、を備えたことを特徴とする電子カメラ。
【００３１】
［備考項目１３］  備考項目１２に記載の電子カメラにおいて、前記環境パラメータ検出手段は、前記被写界の赤外線を検出する赤外線検出手段と、前記赤外線検出手段により検出された赤外線に応じて被写体温度を検出し、該被写体温度を環境パラメータとする温度検出手段とを備えてなり、前記第３の期間判別手段は、前記媒体再生手段により読み出された収録情報内から被写体温度を取り込み、該被写体温度が、予め定められた温度範囲となる期間を判別してなり、前記再生表示手段は、前記第３の期間判別手段により判別された期間もしくは該期間外のいずれかに限定して、前記収録情報内の動画像情報を再生表示することを特徴とする電子カメラ。
【００３２】
（備考項目の効果）
備考項目１では、予め設定された条件を用いてこの収録情報を判別し、その条件判別に応じて、動画像情報の再生表示を行う。したがって、適宜な条件を設定することにより、不要箇所を自動的に省いたり、特定のシーンのみを選択的に再生表示することが可能となる。そのため、従来のような不要箇所の早送り操作を行う必要が特になくなり、不要箇所の終了点を確認するために、視認性の悪い早送り画像を注視するなどの不便を解消することができる。
【００３３】
備考項目２では、無音期間を自動的に判別し、この無音期間を省いて動画像情報の再生表示を行う。したがって、収録情報内の会話部分やナレーション部分などを中心に動画像情報を再生表示することができる。そのため、操作者は、収録情報を全て観ることなく、収録情報の内容（ストーリーや会話の流れ）を大まかに把握することが可能となる。
備考項目３では、音声の特徴パラメータが条件に合致する期間に限定して、動画像情報を再生表示する。したがって、特定音の部分（例えば、特定話者の会話部分など）を中心に動画像情報を再生表示することができる。
【００３４】
備考項目４では、逆光状態で撮影された逆光期間を省いて、動画像情報を再生表示する。したがって、逆光による撮影ミスなどを省いて、動画像情報を再生表示することができる。
備考項目５では、パンニング期間もしくはその期間外に限定して、動画像情報を再生表示する。ここで、パンニング期間に限定して再生表示を行った場合、車窓の背景などを中心に、動画像情報を再生表示することができる。一方、パンニング期間以外に限定して再生表示を行った場合、シーンをつなぐ際に生じる無用なパンニング部分などを省いて、動画像情報を再生表示することができる。
【００３５】
備考項目６では、低コントラスト期間外に限定して、動画像情報を再生表示する。したがって、例えば壁のみのように主要被写体が存在しない低コントラスト部分を省いて、動画像情報を再生表示することができる。
【００３６】
備考項目７では、動画像情報の中から肌色領域が所定面積以下となる無人期間を判別する。この無人期間もしくは無人期間外に限定して、動画像情報を再生表示する。ここで、無人期間に限定して再生表示を行った場合、人物の写っている部分などを中心に、動画像情報を再生表示することができる。一方、無人期間以外に限定して再生表示を行った場合、風景などの無人部分や人物が小さく写っている部分などを中心に、動画像情報を再生表示することができる。
【００３７】
備考項目１２では、予め設定された条件を用いて環境パラメータを判別し、その条件判別に応じて、動画像情報の再生表示を行う。したがって、適宜な条件を設定することにより、不要箇所を自動的に省いたり、特定のシーンのみを選択的に再生表示することが可能となる。そのため、従来のような不要箇所の早送り操作を行う必要が特になくなり、不要箇所の終了点を確認するために、視認性の悪い早送り画像を注視するなどの不便を解消することができる。
【００３８】
備考項目１３では、撮影時に記録された被写体温度に基づいて被写体の選別を行い、その選別された期間もしくは期間外に限定して動画像情報を再生表示する。したがって、特定の被写体温度を示す被写体もしくはその被写体以外を抜粋して、動画像情報の再生表示を行うことができる。
【００３９】
（備考項目に係る具体例）
※第１の具体例
図５は、第１の具体例（備考項目１，２に対応する）の機能ブロック図である。
図６は、本具体例の外観を説明する図である。
これらの図において、画像再生装置３１には、光磁気記録媒体３２を着脱自在に装着するディスクドライブ部３３が配置される。このディスクドライブ部３３は、システムバス３４を介してマイクロプロセッサ３５に接続される。
【００４０】
また、システムバス３４には、メモリ３６，画像伸長部３７，表示用メモリ３８，音声用Ｄ／Ａ変換部３９および音量検出部４０ａが個別に接続される。
この表示用メモリ３８には、液晶駆動回路４１を介して液晶表示部４２が接続される。
音声用Ｄ／Ａ変換部３９には、音声用アンプ４３を介してスピーカ４４が接続される。
音量検出部４０ａの出力は、無音判別部４５ａを介してマイクロプロセッサ３５に入力される。
【００４１】
また、画像再生装置３１の筐体には再生釦４６が設けられ、再生釦４６の出力は、マイクロプロセッサ３５に入力される。
なお、備考項目１と第１の具体例との対応関係については、媒体再生手段はディスクドライブ部３３に対応し、第１の期間判別手段は音量検出部４０ａおよび無音判別部４５ａに対応し、再生表示手段は画像伸長部３７，表示用メモリ３８，液晶駆動回路４１およびマイクロプロセッサ３５の「無音期間外について再生表示を指示する機能」に対応する。
【００４２】
備考項目２と第１の具体例との対応関係については、音量検出手段は音量検出部４０ａに対応し、無音判別手段は無音判別部４５ａに対応する。
図７は、第１の具体例の動作を説明する流れ図である。
以下、図５〜図７を用いて、第１の具体例の動作を説明する。
まず、画像再生装置３１の主電源が投入されると、マイクロプロセッサ３５は、再生釦４６がオンされるまで待機状態に入る。
【００４３】
この状態で、再生釦４６がオンされると（図７Ｓ１）、マイクロプロセッサ３５は、ディスクドライブ部３３に対し画像ファイルの読み出しを指示する。
ディスクドライブ部３３は、光磁気記録媒体３２から画像ファイルを読み出し、メモリ３６に順次格納する（図７Ｓ２）。
一方、マイクロプロセッサ３５は、メモリ３６内の所定アドレスに設けられた画像ファイルの再生フレーム番号をリセットする（図７Ｓ３）。
【００４４】
音量検出部４０ａは、この再生フレーム番号の画像に対して同期記録された音声情報を画像ファイル内から一定期間取り込み、この音声情報の音量レベルを検出する（図７Ｓ４）。
無音判別部４５ａは、この音量レベルが予め定められた閾値以下か否かを判別する（図７Ｓ５）。
【００４５】
ここで、音量レベルが予め定められた閾値を超えると（図７Ｓ５のＮＯ側）、マイクロプロセッサ３５は、画像伸長部３７に対し画像伸長を指示する。画像伸長部３７は、再生フレーム番号が示す動画像情報を画像ファイル内から取り込み、画像伸長して表示用メモリ３８に格納する（図７Ｓ６）。
液晶駆動回路４１は、この表示用メモリ３８内の動画像情報を１フレーム周期おきに読み出し、液晶表示部４２に表示する（図７Ｓ７）。このとき、音声用Ｄ／Ａ変換部３９および音声用アンプ４３によって、動画像情報に同期した音声情報が一緒に再生される。
【００４６】
一方、音量レベルが予め定められた閾値以下の場合（図７Ｓ５のＹＥＳ側）、画像伸長部３７は、イントラ画像のみを伸長して、画像伸長部３７内部の作業用メモリに一時記録する（図７Ｓ８）。このイントラ画像は、動画像情報の中で一定のフレーム間隔おきにフレーム内圧縮された画像であり、その他の画像（フレーム間圧縮された画像）を画像伸長する際に必要となる画像である。
【００４７】
このような処理（図７Ｓ７もしくはＳ８）の終了後に、マイクロプロセッサ３５は再生フレーム番号を歩進させる（図７Ｓ９）。
ここで、動画像情報の再生が終了していない場合（図７Ｓ１０のＮＯ側）、図７Ｓ４の処理に戻って、上述の動作を繰り返す。
一方、フレーム番号が最後まで行って動画像情報の再生が終了すると（図７Ｓ１０のＹＥＳ側）、画像ファイルの再生動作を終了する。また、このときイントラ画像の一時記録も消去する。
【００４８】
以上の動作により、音量レベルが閾値以下の無音期間については、画像ファイルが再生表示されず、再生フレーム番号のみが高速に増加する。そのため、無音期間外の動画像情報が選択的に再生表示される。
また、このような再生表示により、画像ファイル内の会話部分やナレーション部分などが中心的に再生表示される。そのため、操作者は、画像ファイルを全て観ることなく、ストーリーや会話の流れを短時間に把握することが可能となる。
【００４９】
※第２の具体例
図８は、第２の具体例（備考項目１，３に対応する）の機能ブロック図である。
第２の具体例における構成上の特徴点は、次の通りである。
【００５０】
（１）話者特徴抽出部４０ｂおよび話者判別部４５ｂが、図５に示した音量検出部４０ａおよび無音判別部４５ａの替わりにそれぞれ配置される。
【００５１】
（２）画像再生装置３１の筐体に話者登録釦４７が設けられ、話者登録釦４７の出力が話者判別部４５ｂに入力される。
なお、図５に示した構成要件と同じ構成要件については、同一の参照番号を付与して図８に示し、ここでの構成の説明を省略する。
【００５２】
ここで、備考項目１と第２の具体例との対応関係については、媒体再生手段はディスクドライブ部３３に対応し、第１の期間判別手段は話者特徴抽出部４０ｂおよび話者判別部４５ｂに対応し、再生表示手段は画像伸長部３７，表示用メモリ３８，液晶駆動回路４１およびマイクロプロセッサ３５の「特定話者の期間において再生表示を指示する機能」に対応する。
【００５３】
備考項目３と第２の具体例との対応関係については、話者特徴抽出手段は話者特徴抽出部４０ｂに対応し、話者判別手段は話者判別部４５ｂに対応する。
図９は、第２の具体例の動作を説明する流れ図である。
以下、図８，図９を用いて、第２の具体例の動作を説明する。
まず、画像再生装置３１の主電源が投入されると、マイクロプロセッサ３５は、再生釦４６がオンされるまで待機状態に入る。
【００５４】
この状態で、再生釦４６がオンされると（図９Ｓ１）、マイクロプロセッサ３５は、ディスクドライブ部３３に対し画像ファイルの読み出しを指示する。
ディスクドライブ部３３は、光磁気記録媒体３２から画像ファイルを読み出し、メモリ３６に順次格納する（図９Ｓ２）。
一方、マイクロプロセッサ３５は、メモリ３６内の所定アドレスに設けられた画像ファイルの再生フレーム番号をリセットする（図９Ｓ３）。
【００５５】
話者特徴抽出部４０ｂは、この再生フレーム番号に従って、メモリ３６上の画像ファイルから音声情報を一定時間取り込み、公知の長時間スペクトラム平均を検出する（図９Ｓ４）。
この状態で、話者登録釦４７が押されていると（図９Ｓ５）、話者判別部４５ｂは、長時間スペクトラム平均の検出データを登録データとして記憶する（図９Ｓ６）。
【００５６】
ここで、話者判別部４５ｂは、長時間スペクトラム平均の検出データが登録データと許容範囲内で一致するか否かを判定する（図９Ｓ７）。なお、ここで登録データが未登録の場合、話者判別部４５ｂは「一致する」との判定を一律に行う。
もしも、特徴パラメータが許容範囲内で一致すると（図９Ｓ７のＹＥＳ側）、マイクロプロセッサ３５は、画像伸長部３７に対し画像伸長を指示する。画像伸長部３７は、再生フレーム番号が示す動画像情報を画像ファイル内から取り込み、画像伸長して表示用メモリ３８に転送する（図９Ｓ８）。
【００５７】
液晶駆動回路４１は、この表示用メモリ３８内の動画像情報をフレーム周期おきに読み出し、液晶表示部４２に表示する（図９Ｓ９）。このとき、音声用Ｄ／Ａ変換部３９および音声用アンプ４３によって、動画像情報に同期した音声情報が一緒に再生される。
一方、長時間スペクトラム平均が許容範囲内で登録データと一致しない場合（図９Ｓ７のＮＯ側）、画像伸長部３７は、前後フレームの画像伸長に必要となるイントラ画像のみを伸長する。このイントラ画像は、画像伸長部３７内部に一時記録される（図９Ｓ１０）。ここでは、イントラ画像が表示用メモリ３８に格納されないため、再生表示は行われない。
【００５８】
このような処理（図９Ｓ９もしくはＳ１０）の終了後に、マイクロプロセッサ３５は再生フレーム番号を歩進させる（図９Ｓ１１）。
ここで、動画像情報の再生が終了していない場合（図９Ｓ１２のＮＯ側）、図９Ｓ４の処理に戻って、上述の動作を繰り返す。
一方、フレーム番号が最後に到達して動画像情報の再生が終了すると（図９Ｓ１２のＹＥＳ側）、画像ファイルの再生動作を終了する。また、ここでイントラ画像の一時記憶も消去される。
【００５９】
以上の動作により、特定話者の会話期間以外については、画像ファイルが再生表示されず、再生フレーム番号のみが高速に変化する。そのため、特定話者の会話期間に相当する動画像情報を中心に再生表示が行なわれる。
したがって、操作者は、特定話者の会話部分を中心に、動画像情報を選択的に観ることができる。
【００６０】
※第３の具体例
図１０は、第３の具体例（備考項目１，４に対応する）の機能ブロック図である。
第３の具体例における構成上の特徴点は、輝度差検出部４０ｃおよび逆光判別部４５ｃが、図５に示した音量検出部４０ａおよび無音判別部４５ａの替わりにそれぞれ配置されている点である。
なお、図５に示した構成要件と同じ構成要件については、同一の参照番号を付与して図１０に示し、ここでの構成の説明を省略する。
【００６１】
ここで、備考項目１と第３の具体例との対応関係については、媒体再生手段はディスクドライブ部３３に対応し、第１の期間判別手段は輝度差検出部４０ｃおよび逆光判別部４５ｃに対応し、再生表示手段は画像伸長部３７，表示用メモリ３８，液晶駆動回路４１およびマイクロプロセッサ３５の「逆光の期間以外において再生表示を指示する機能」に対応する。
【００６２】
備考項目４と第３の具体例との対応関係については、輝度差検出手段は輝度差検出部４０ｃに対応し、逆光判別手段は逆光判別部４５ｃに対応する。
図１１は、第３の具体例の動作を説明する流れ図である。
以下、図１０，図１１を用いて、第３の具体例の動作を説明する。
まず、画像再生装置３１の主電源が投入されると、マイクロプロセッサ３５は、再生釦４６がオンされるまで待機状態に入る。
【００６３】
この状態で、再生釦４６がオンされると（図１１Ｓ１）、マイクロプロセッサ３５は、ディスクドライブ部３３に対し画像ファイルの読み出しを指示する。ディスクドライブ部３３は、光磁気記録媒体３２から画像ファイルを読み出し、メモリ３６に順次格納する（図１１Ｓ２）。
一方、マイクロプロセッサ３５は、メモリ３６内の所定アドレスに設けられた再生フレーム番号をリセットする（図１１Ｓ３）。
【００６４】
ここで、マイクロプロセッサ３５は、画像伸長部３７に対しイントラ画像の画像伸長を指示する。画像伸長部３７は、再生フレーム番号が示すイントラ画像を、メモリ３６上の画像ファイルから取り込み、このイントラ画像の画像伸長を実行する（図１１Ｓ４）。
輝度差検出部４０ｃは、画像伸長後のイントラ画像を取り込み、画面中央部と周辺部との輝度レベル差を検出する（図１１Ｓ５）。
【００６５】
逆光判別部４５ｃは、この輝度レベル差が、予め定められた閾値以上か否かを判定する（図１１Ｓ６）。
ここで、輝度レベル差が閾値未満の場合（図１１Ｓ６のＮＯ側）、マイクロプロセッサ３５は、画像伸長部３７に対し次のイントラ画像の手前まで画像伸長を指示する。画像伸長部３７は、次のイントラ画像の手前まで動画像情報を順次に画像伸長して、表示用メモリ３８に格納する（図１１Ｓ７）。
【００６６】
液晶駆動回路４１は、この表示用メモリ３８内の動画像情報をフレーム周期おきに読み出し、液晶表示部４２に表示する（図１１Ｓ８）。このとき、音声用Ｄ／Ａ変換部３９および音声用アンプ４３によって、動画像情報に同期した音声情報が一緒に再生される。
画像伸長部３７において、次のイントラ画像の手前まで画像伸長が終了すると、マイクロプロセッサ３５は、再生フレーム番号を次のイントラ画像のフレーム番号まで進める（図１１Ｓ９）。
【００６７】
一方、輝度レベル差が閾値以上の場合（図１１Ｓ６のＹＥＳ側）、再生表示の処理（図１１Ｓ７およびＳ８）は実行されない。そのため、図１１Ｓ９において再生フレーム番号のみが次のイントラ画像のフレーム番号まで進められる。
このような一連の動作後において、動画像情報の再生が終了していない場合（図１１Ｓ１０のＮＯ側）、図１１Ｓ４の処理に戻って、上述の動作を繰り返す。
【００６８】
一方、フレーム番号が最後に到達して動画像情報の再生が終了した場合（図１１Ｓ１０のＹＥＳ側）、画像ファイルの再生動作を終了する。また、ここでイントラ画像の一時記録も消去される。
以上の動作により、輝度レベル差が閾値以上となる逆光期間を省いて、画像ファイルが再生表示される。したがって、操作者は、逆光による撮影ミスの部分を省いて、動画像情報を観ることができる。
【００６９】
※第４の具体例
図１２は、第４の具体例（備考項目１，５に対応する）の機能ブロック図である。
第４の具体例における構成上の特徴点は、動き検出部４０ｄおよびパンニング判別部４５ｄが、図５に示した音量検出部４０ａおよび無音判別部４５ａの替わりにそれぞれ配置されている点である。
なお、図５に示した構成要件と同じ構成要件については、同一の参照番号を付与して図１２に示し、ここでの構成の説明を省略する。
【００７０】
ここで、備考項目１と第４の具体例との対応関係については、媒体再生手段はディスクドライブ部３３に対応し、第１の期間判別手段２は動き検出部４０ｄおよびパンニング判別部４５ｄに対応し、再生表示手段は画像伸長部３７，表示用メモリ３８，液晶駆動回路４１およびマイクロプロセッサ３５の「パンニング期間以外において再生表示を指示する機能」に対応する。
【００７１】
備考項目５と第４の具体例との対応関係については、動き検出手段は動き検出部４０ｄに対応し、パンニング判別手段はパンニング判別部４５ｄに対応する。
図１３は、第４の具体例の動作を説明する流れ図である。
以下、図１２，図１３を用いて、第４の具体例の動作を説明する。
まず、画像再生装置３１の主電源が投入されると、マイクロプロセッサ３５は、再生釦４６がオンされるまで待機状態に入る。
【００７２】
この状態で、再生釦４６がオンされると（図１３Ｓ１）、マイクロプロセッサ３５は、ディスクドライブ部３３に対し画像ファイルの読み出しを指示する。
ディスクドライブ部３３は、光磁気記録媒体３２から画像ファイルを読み出し、メモリ３６に順次格納する（図１３Ｓ２）。
一方、マイクロプロセッサ３５は、メモリ３６内の所定アドレスに設けられた画像ファイルの再生フレーム番号をリセットする（図１３Ｓ３）。
【００７３】
動き検出部４０ｄは、この再生フレーム番号が示す動画像情報から公知の動きベクトルを取得する（図１３Ｓ４）。この動きベクトルは、動画像情報のフレーム間圧縮を行う際に、フレーム間の画像の動きを数値化したベクトル情報である。この動きベクトルは、再生時の画像伸長の際にも使うため、圧縮後の動画像情報に付随して記録されている。
パンニング判別部４５ｄは、この動きベクトルから画面全体が平行移動中か否かを判別する（図１３Ｓ５）。
【００７４】
ここで、画面全体が平行移動していない場合（図１３Ｓ５のＮＯ側）、マイクロプロセッサ３５は、画像伸長部３７に対し画像伸長を指示する。画像伸長部３７は、再生フレーム番号が示す動画像情報を画像ファイル内から取り込み、画像伸長して表示用メモリ３８に格納する（図１３Ｓ６）。
液晶駆動回路４１は、この表示用メモリ３８内の動画像情報をフレーム周期おきに読み出し、液晶表示部４２に表示する（図１３Ｓ７）。このとき、音声用Ｄ／Ａ変換部３９および音声用アンプ４３によって、動画像情報に同期した音声情報が一緒に再生される。
【００７５】
一方、画面全体が平行移動中の場合（図１３Ｓ５のＹＥＳ側）、画像伸長部３７は、イントラ画像のみを伸長して、画像伸長部３７内部の作業用メモリに一時記録する（図１３Ｓ８）。このイントラ画像は、前後フレームの画像伸長に使用するためのものであり、再生表示はされない。
このような処理（図１３Ｓ７もしくはＳ８）の終了後に、マイクロプロセッサ３５は再生フレーム番号を歩進させる（図１３Ｓ９）。
【００７６】
ここで、動画像情報の再生が終了していない場合（図１３Ｓ１０のＮＯ側）、図１３Ｓ４の処理に戻って、上述の動作を繰り返す。
一方、フレーム番号が最後まで到達して動画像情報の再生が終了すると（図１３Ｓ１０のＹＥＳ側）、画像ファイルの再生動作を終了する。また、ここでイントラ画像の一時記録も消去される。
【００７７】
以上の動作により、パンニング期間を省いて、画像ファイルが再生表示される。したがって、操作者は、シーンをつなぐために不本意に挿入されるパンニング部分などを省いて、動画像情報を観ることができる。
【００７８】
※第５の具体例
図１４は、第５の具体例（備考項目１，６に対応する）の機能ブロック図である。
第５の具体例における構成上の特徴点は、コントラスト検出部４０ｅおよび低コントラスト判別部４５ｅが、図５に示した音量検出部４０ａおよび無音判別部４５ａの替わりにそれぞれ配置されている点である。
なお、図５に示した構成要件と同じ構成要件については、同一の参照番号を付与して図１４に示し、ここでの構成の説明を省略する。
【００７９】
ここで、備考項目１と第５の具体例との対応関係については、媒体再生手段はディスクドライブ部３３に対応し、第１の期間判別手段はコントラスト検出部４０ｅおよび低コントラスト判別部４５ｅに対応し、再生表示手段は画像伸長部３７，表示用メモリ３８，液晶駆動回路４１およびマイクロプロセッサ３５の「低コントラスト期間以外において再生表示を指示する機能」に対応する。
【００８０】
備考項目６と第５の具体例との対応関係については、コントラスト検出手段はコントラスト検出部４０ｅに対応し、低コントラスト判別手段は低コントラスト判別部４５ｅに対応する。
図１５は、第５の具体例の動作を説明する流れ図である。
以下、図１４，図１５を用いて、第５の具体例の動作を説明する。
【００８１】
まず、画像再生装置３１の主電源が投入されると、マイクロプロセッサ３５は、再生釦４６がオンされるまで待機状態に入る。
この状態で、再生釦４６がオンされると（図１５Ｓ１）、マイクロプロセッサ３５は、ディスクドライブ部３３に対し画像ファイルの読み出しを指示する。
ディスクドライブ部３３は、光磁気記録媒体３２から画像ファイルを読み出し、メモリ３６に順次格納する（図１５Ｓ２）。
【００８２】
一方、マイクロプロセッサ３５は、メモリ３６内の所定アドレスに設けられた画像ファイルの再生フレーム番号をリセットする（図１５Ｓ３）。
ここで、マイクロプロセッサ３５は、画像伸長部３７に対しイントラ画像の画像伸長を指示する。画像伸長部３７は、再生フレーム番号が示すイントラ画像を画像ファイルから取り込み、イントラ画像の画像伸長を実行する（図１５Ｓ４）。
【００８３】
コントラスト検出部４０ｅは、画像伸長後のイントラ画像を取り込み、空間周波数の高域成分を抽出してコントラスト量を検出する（図１５Ｓ５）。
低コントラスト判別部４５ｅは、このコントラスト量が、予め定められた閾値以下か否かを判定する（図１５Ｓ６）。
ここで、コントラスト量が閾値を超える場合（図１５Ｓ６のＮＯ側）、マイクロプロセッサ３５は、画像伸長部３７に対し次のイントラ画像の手前まで画像伸長を指示する。画像伸長部３７は、次のイントラ画像の手前まで動画像情報を順次に画像伸長して、表示用メモリ３８に格納する（図１５Ｓ７）。
【００８４】
液晶駆動回路４１は、この表示用メモリ３８内の動画像情報をフレーム周期おきに読み出し、液晶表示部４２に表示する（図１５Ｓ８）。このとき、音声用Ｄ／Ａ変換部３９および音声用アンプ４３によって、動画像情報に同期した音声情報が一緒に再生される。
画像伸長部３７において、次のイントラ画像の手前まで画像伸長が終了すると、マイクロプロセッサ３５は、再生フレーム番号を次のイントラ画像のフレーム番号まで進める（図１５Ｓ９）。
【００８５】
一方、コントラスト量が閾値以下の場合（図１５Ｓ６のＹＥＳ側）、再生表示の処理（図１５Ｓ７およびＳ８）は実行されない。そのため、図１５Ｓ９において再生フレーム番号のみが次のイントラ画像のフレーム番号まで進められる。
このような一連の動作終了後において、動画像情報の再生が終了していない場合（図１５Ｓ１０のＮＯ側）、図１５Ｓ４の処理に戻って、上述の動作を繰り返す。
【００８６】
一方、フレーム番号が最後まで到達して動画像情報の再生が終了した場合（図１５Ｓ１０のＹＥＳ側）、画像ファイルの再生動作を終了する。また、ここでイントラ画像の一時記録も消去される。
以上の動作により、コントラスト量が閾値以下となる低コントラスト期間を省いて、画像ファイルが再生表示される。したがって、操作者は、壁のみで主要被写体が写っていないような場面を省いて、動画像情報を観ることができる。
【００８７】
※第６の具体例
図１６は、第６の具体例（備考項目１，７に対応する）の機能ブロック図である。
第６の具体例における構成上の特徴点は、肌色検出部４０ｆおよび無人判別部４５ｆが、図５に示した音量検出部４０ａおよび無音判別部４５ａの替わりにそれぞれ配置されている点である。
なお、図５に示した構成要件と同じ構成要件については、同一の参照番号を付与して図１６に示し、ここでの構成の説明を省略する。
【００８８】
ここで、備考項目１と第６の具体例との対応関係については、媒体再生手段はディスクドライブ部３３に対応し、第１の期間判別手段は肌色検出部４０ｆおよび無人判別部４５ｆに対応し、再生表示手段は画像伸長部３７，表示用メモリ３８，液晶駆動回路４１およびマイクロプロセッサ３５の「無人期間以外において再生表示を指示する機能」に対応する。
【００８９】
備考項目７と第６の具体例との対応関係については、肌色検出手段は肌色検出部４０ｆに対応し、無人判別手段は無人判別部４５ｆに対応する。
図１７は、第６の具体例の動作を説明する流れ図である。
以下、図１６，図１７を用いて、第６の具体例の動作を説明する。
まず、画像再生装置３１の主電源が投入されると、マイクロプロセッサ３５は、再生釦４６がオンされるまで待機状態に入る。
【００９０】
この状態で、再生釦４６がオンされると（図１７Ｓ１）、マイクロプロセッサ３５は、ディスクドライブ部３３に対し画像ファイルの読み出しを指示する。
ディスクドライブ部３３は、光磁気記録媒体３２から画像ファイルを読み出し、メモリ３６に順次格納する（図１７Ｓ２）。
一方、マイクロプロセッサ３５は、メモリ３６内の所定アドレスに設けられた画像ファイルの再生フレーム番号をリセットする（図１７Ｓ３）。
【００９１】
ここで、マイクロプロセッサ３５は、画像伸長部３７に対しイントラ画像の画像伸長を指示する。画像伸長部３７は、再生フレーム番号が示すイントラ画像を、メモリ３６上の画像ファイルから取り込み、このイントラ画像の画像伸長を実行する（図１７Ｓ４）。
肌色検出部４０ｆは、画像伸長後のイントラ画像を取り込み、肌色に類似する画像の領域（肌色領域）を抽出し、この肌色領域の画素数を計数する（図１７Ｓ５）。
【００９２】
無人判別部４５ｆは、肌色領域の画素数が予め定められた閾値以下か否かを判定する（図１７Ｓ６）。
ここで、肌色領域の画素数が閾値を超える場合（図１７Ｓ６のＮＯ側）、マイクロプロセッサ３５は、画像伸長部３７に対し次のイントラ画像の手前まで画像伸長を指示する。画像伸長部３７は、次のイントラ画像の手前まで動画像情報を順次に画像伸長して、表示用メモリ３８に格納する（図１７Ｓ７）。
【００９３】
液晶駆動回路４１は、この表示用メモリ３８内の動画像情報をフレーム周期おきに読み出し、液晶表示部４２に表示する（図１７Ｓ８）。このとき、音声用Ｄ／Ａ変換部３９および音声用アンプ４３によって、動画像情報に同期した音声情報が一緒に再生される。
画像伸長部３７において、次のイントラ画像の手前まで画像伸長が終了すると、マイクロプロセッサ３５は、再生フレーム番号を次のイントラ画像のフレーム番号まで進める（図１７Ｓ９）。
【００９４】
一方、肌色領域の画素数が閾値以下の場合（図１７Ｓ６のＹＥＳ側）、再生表示の処理（図１７Ｓ７およびＳ８）は実行されない。そのため、図１７Ｓ９において再生フレーム番号のみが次のイントラ画像のフレーム番号まで進められる。
このような一連の動作終了後において、動画像情報の再生が終了していない場合（図１７Ｓ１０のＮＯ側）、図１７Ｓ４の処理に戻って、上述の動作を繰り返す。
【００９５】
一方、フレーム番号が最後まで到達して動画像情報の再生が終了した場合（図１７Ｓ１０のＹＥＳ側）、画像ファイルの再生動作を終了する。また、ここでイントラ画像の一時記録も消去される。
以上の動作により、肌色領域が所定面積以下となる無人期間を省いて、画像ファイルが再生表示される。
したがって、操作者は、人物が写っている場面を中心に、動画像情報を観ることができる。
【００９６】
※第８の具体例
図１８は、第８の具体例（備考項目１２，１３に対応する）の機能ブロック図である。
図１８において、電子カメラ７１の本体側面には、カメラ部７１ａが取り付けられ、カメラ部７１ａには、被写体像を結像する撮影レンズ７２が装着される。
【００９７】
撮影レンズ７２の光軸はカメラ部７１ａの中で屈曲され、その光軸の延長上にＣＣＤイメージセンサなどからなる撮像素子７３の受光面が配置される。
撮像素子７３の光電出力は、Ａ／Ｄ変換部７４を介して、ホワイトバランス調整やガンマ補正などを行う映像信号処理部７５に入力される。
映像信号処理部７５の出力は、本体内の画像圧縮伸長部７６に入力され、画像圧縮伸長部７６は、システムバス７７を介してマイクロプロセッサ７８に接続される。
【００９８】
このシステムバス７７には、メモリ７９，音声用Ｄ／Ａ変換部８０，ディスクドライブ部８１，表示用メモリ８２および被写体温度検出部８５が接続される。
この音声用Ｄ／Ａ変換部８０の出力は、音声用アンプ８０ａを介してスピーカ８０ｂに入力される。
また、ディスクドライブ部８１には、光磁気記録媒体８１ａが着脱自在に装着される。
【００９９】
表示用メモリ８２は、液晶駆動回路８３を介して液晶表示部８４に接続される。
被写体温度検出部８５の入力端子には、赤外線用光学系８６を備えた赤外線撮像素子８７が接続される。なお、この赤外線撮像素子８７としては、熱型もしくは量子型などの赤外線撮像素子が使用される。
一方、電子カメラ７１の筐体には、録画釦７１ｂおよび再生釦７１ｃが設けられ、これら操作部材の出力は、マイクロプロセッサ７８に入力される。
【０１００】
なお、備考項目１２，１３と第８の具体例との対応関係については、撮像手段は撮像素子７３に対応し、環境パラメータ検出手段２０は赤外線用光学系８６，赤外線撮像素子８７および被写体温度検出部８５に対応し、媒体記録手段はディスクドライブ部８１に対応し、第３の期間判別手段は、マイクロプロセッサ５８の「環境パラメータを判別する機能」に対応し、媒体再生手段はディスクドライブ部８１に対応し、再生表示手段は画像圧縮伸長部７６，表示用メモリ８２，液晶駆動回路８３およびマイクロプロセッサ７８の「特定の環境パラメータの期間において再生表示を指示する機能」に対応する。
図１９は、第８の具体例の動作を説明する流れ図である。
以下、図１８および図１９を用いて第８の具体例の動作を説明する。
【０１０１】
（第８の具体例における録画動作）
まず、電子カメラ７１は、主電源が投入されると、再生釦７１ｃまたは録画釦７１ｂがオンされるまで待機状態に入る。
この状態で、再生釦７１ｃがオンされると（図１９Ｓ１）、マイクロプロセッサ７８は、後述する図１９Ｓ８に動作を移行する。
【０１０２】
一方、録画釦７１ｂがオンされると（図１９Ｓ２）、マイクロプロセッサ７８は、画像圧縮伸長部７６に対して画像圧縮の開始を指示する。画像圧縮伸長部７６は、画像圧縮伸長部７６から動画像情報を取り込み、ＭＰＥＧ規格に準拠した画像圧縮処理を施す（図１９Ｓ３）。
このような画像圧縮と併行して、マイクロプロセッサ７８は、被写体温度検出部８５に対し被写体温度の検出を指示する。被写体温度検出部８５は、赤外線撮像素子８７を介して被写界の赤外線を検知し、被写体温度を求める（図１９Ｓ４）。
【０１０３】
ディスクドライブ部８１は、これらの動画像情報および被写体温度をまとめて、光磁気記録媒体８１ａ上の画像ファイルに記録する（図１９Ｓ５）。
この状態で、録画釦７１ｂが再度押されるまで（図１９Ｓ６のＮＯ側）、マイクロプロセッサ７８は図１９Ｓ３に戻って、上述の録画動作を繰り返す。
一方、録画釦７１ｂが再度押されると（図１９Ｓ６のＹＥＳ側）、作成中の画像ファイルに日時データなどの管理データを付与する終了処理の後（図１９Ｓ７）、図１９Ｓ１に戻って録画動作を終了する。
【０１０４】
（第８の具体例における再生動作）
また、上述の待機状態において再生釦７１ｃがオンされると（図１９Ｓ１）、マイクロプロセッサ７８は、ディスクドライブ部８１に対し画像ファイルの読み出しを指示する。ディスクドライブ部８１は、光磁気記録媒体８１ａから画像ファイルを読み出し、メモリ７９に順次格納する（図１９Ｓ８）。
【０１０５】
次に、マイクロプロセッサ７８はメモリ７９上の画像ファイルから被写体温度の情報を再生順に取り込む（図１９Ｓ９）。
ここで、マイクロプロセッサ７８は、被写体温度が人間の体温範囲である３０度〜４０度の範囲内か否かを判別する（図１９Ｓ１０）。
ここで、被写体温度が体温範囲にある場合（図１９Ｓ１０のＹＥＳ側）、マイクロプロセッサ７８は、画像圧縮伸長部７６に対し画像伸長を指示する。画像圧縮伸長部７６は、被写体温度の情報と同期した動画像情報を、メモリ７９上の画像ファイルから取り込み、この動画像情報を画像伸長して表示用メモリ８２に記録する。液晶駆動回路８３は、表示用メモリ８２上の動画像情報を順番に取り込み、液晶表示部８４に表示する（図１９Ｓ１１）。
【０１０６】
一方、被写体温度が体温範囲の外にある場合（図１９Ｓ１０のＮＯ側）、上記のような再生表示は行われない。
このような一連の動作終了後において、動画像情報の再生が終了していない場合（図１９Ｓ１２のＮＯ側）、図１９Ｓ９の処理に戻って、上述の動作を繰り返す。
一方、動画像情報の再生が終了した場合（図１９Ｓ１２のＹＥＳ側）、画像ファイルの再生動作を終了する。
以上の動作により、被写体温度が人間の体温範囲にある場合に限定して、画像ファイルが選択的に再生表示される。したがって、操作者は、人間が写っている場面を中心に、動画像情報を観ることができる。
【０１０７】
《補足事項》
なお、上記では、条件に合致する期間を判別して、その期間に限定して再生表示しているが、この構成に限定されるものではない。判別された期間以外に限定して再生表示を行ってもよい。
また、上記では、説明を簡単にするため、自動的に部分再生を行う場合のみについて述べたが、この構成に限定されるものではない。例えば、部分再生を行うか否かを操作者がスイッチ操作などで設定できるようにしてもよい。
【０１０８】
さらに、備考項目の具体例については、単一の条件に基づいて期間を判別しているが、この構成に限定されるものではない。例えば、複数の条件に対する判別手段を予め設けておき、操作者がスイッチ操作などで所望の条件を選択してもよい。
また、上記では、単一の条件に基づいて期間を判別しているが、この構成に限定されるものではない。複数の条件について所定の論理演算（論理積，論理和など）を定め、この論理演算の答えである複合条件に基づいて期間を判別してもよい。なお、この論理演算としてファジー推論などを採用してもよい。
【０１０９】
さらに、上記では、記録媒体として光磁気記録媒体を採用しているが、記録媒体の形状や材質に限定されるものではない。例えば、記録媒体として、半導体記録媒体，磁気記録媒体，光記録媒体などを採用することができる。
また、第２の具体例では、音声の特徴パラメータとして長時間スペクトラム平均を採用しているが、この構成に限定されるものではない。特徴パラメータとしては、音声の特徴を示す波形や値あればよく、例えば、平均ピッチ周波数などを採用してもよい。
【産業上の利用可能性】
【０１１０】
本発明は、電子カメラなどに利用可能である。
【図面の簡単な説明】
【０１１１】
【図１】請求項１〜４に記載の発明に対応する原理ブロック図である。
【図２】本実施形態の機能ブロック図である。
【図３】本実施形態の動作を説明する流れ図である。
【図４】本実施形態の動作を説明する流れ図（続き）である。
【図５】第１の具体例の機能ブロック図である。
【図６】本具体例の外観を説明する図である。
【図７】第１の具体例の動作を説明する流れ図である。
【図８】第２の具体例の機能ブロック図である。
【図９】第２の具体例の動作を説明する流れ図である。
【図１０】第３の具体例の機能ブロック図である。
【図１１】第３の具体例の動作を説明する流れ図である。
【図１２】第４の具体例の機能ブロック図である。
【図１３】第４の具体例の動作を説明する流れ図である。
【図１４】第５の具体例の機能ブロック図である。
【図１５】第５の具体例の動作を説明する流れ図である。
【図１６】第６の具体例の機能ブロック図である。
【図１７】第６の具体例の動作を説明する流れ図である。
【図１８】第８の具体例の機能ブロック図である。
【図１９】第８の具体例の動作を説明する流れ図である。
【符号の説明】
【０１１２】
１…媒体再生手段，３…再生表示手段，１６…撮像手段，１７…撮影パラメータ検出手段，１８…媒体記録手段，１９…期間判別手段，５１…電子カメラ，５１ａ…カメラ部，５２…撮影レンズ，５３…撮像素子，５５…映像信号処理部，５６…画像圧縮伸長部，５７…システムバス，５８…マイクロプロセッサ，５９…メモリ，６１…ディスクドライブ部，６１ａ…光磁気記録媒体，６２…表示用メモリ，６３…液晶駆動回路，６４…液晶表示部，６５…焦点制御部，６６…焦点検出部，６８…レンズ位置検出部，６９…焦点制御モータ，Ｌ…撮影光学系，Ｒ…記録媒体
【図１】
2006246512.tif 000003
【図２】
2006246512.tif 000004
【図３】
2006246512.tif 000005
【図４】
2006246512.tif 000006
【図５】
2006246512.tif 000007
【図６】
2006246512.tif 000008
【図７】
2006246512.tif 000009
【図８】
2006246512.tif 000010
【図９】
2006246512.tif 000011
【図１０】
2006246512.tif 000012
【図１１】
2006246512.tif 000013
【図１２】
2006246512.tif 000014
【図１３】
2006246512.tif 000015
【図１４】
2006246512.tif 000016
【図１５】
2006246512.tif 000017
【図１６】
2006246512.tif 000018
【図１７】
2006246512.tif 000019
【図１８】
2006246512.tif 000020
【図１９】
2006246512.tif 000021